(57)【要約】【課題】入力シートの作成／利用の際における個人認証の仕組みを提供する。【解決手段】ユーザから入力を受け付けるために使用される入力シートは、個人認証情報を表示する認証媒体を配置するために配置された認証媒体配置領域と、書き込みを受け付けるために配置された複数の書込領域と、認証媒体配置領域および書込領域に対応付けられた内容を視覚的に説明するために印刷された内容説明部と、入力シートの種類と、入力シート上における認証媒体配置領域と、認証媒体配置領域に配置されるべき認証媒体に表示される個人認証情報の内容と、入力シート上における各書込領域と、各書込領域に対応付けられた内容と、入力シートから受け付けられた入力の内容の送信先と、をそれぞれ特定するための情報を含むシート内容情報が、機械読取可能かつ視覚的に判読不能な形態で印刷されたシート内容情報コードと、を含む。【選択図】図９
2009053907.tif 000002
【特許請求の範囲】
【請求項１】
画像読取装置を介して入力を受け付けるための入力シートを作成するための情報処理装置であって、
個人認証のための個人認証情報を記憶する記憶部と、
ユーザが前記個人認証情報を表示する認証媒体を配置するための認証媒体配置領域を前記入力シート上に配置する認証媒体配置領域配置部と、
ユーザによる書き込みを受け付けるための複数の書込領域を前記入力シート上に配置する書込領域配置部と、
前記認証媒体配置領域および前記書込領域に対応付けられた内容を視覚的に説明する内容説明部を前記入力シート上に配置する説明配置部と、
前記入力シートの種類と、前記入力シート上における前記認証媒体配置領域と、前記認証媒体配置領域に配置されるべき前記認証媒体に表示される前記個人認証情報の内容と、前記入力シート上における各前記書込領域と、各前記書込領域に対応付けられた内容と、前記入力シートから受け付けられた入力の内容の送信先と、をそれぞれ特定するための情報を含むシート内容情報を機械読取可能かつ視覚的に判読不能な形態で示すシート内容情報コードを、前記入力シート上に配置するコード配置部と、
前記認証媒体配置領域と前記書込領域と前記内容説明部と前記シート内容情報コードとを含む前記入力シートの印刷に用いるシートデータを送信するシートデータ送信部と、
を備える情報処理装置。
【請求項２】
請求項１に記載の情報処理装置は、さらに、
ネットワークを介して、前記ユーザを特定するユーザ特定情報と前記入力シートの作成要求を受け付ける要求受付部を備え、
前記シート内容情報において、前記認証媒体に表示される前記個人認証情報の内容は、前記ユーザ特定情報により特定されるユーザに関する前記個人認証情報の内容である、情報処理装置。
【請求項３】
請求項１または請求項２に記載の情報処理装置において、
前記シート内容情報は、さらに、前記認証媒体の種類を特定するための情報を含む、情報処理装置。
【請求項４】
請求項１ないし請求項３のいずれかに記載の情報処理装置において、
前記認証媒体配置領域を特定するための情報は、認証媒体配置領域全体の位置および大きさを含む、情報処理装置。
【請求項５】
請求項１ないし請求項４のいずれかに記載の情報処理装置において、
前記認証媒体配置領域を特定するための情報は、前記認証媒体配置領域に前記認証媒体が配置された状態において、配置された前記認証媒体における前記個人認証情報を表示する部分を特定するための情報を含む、情報処理装置。
【請求項６】
請求項１ないし請求項５のいずれかに記載の情報処理装置において、
ユーザによる前記認証媒体の配置は、
ａ）身分証の配置
ｂ）会員カードの配置
ｃ）印鑑の押印
のいずれかを含む、情報処理装置。
【請求項７】
請求項１ないし請求項６のいずれかに記載の情報処理装置において、
前記書込領域は、書き込みの有無に対応する二値情報を受け付けるためのマーク領域と、文字情報および図形情報の少なくとも一方を受け付けるためのメモ領域を含む、情報処理装置。
【請求項８】
請求項１ないし請求項７のいずれかに記載の情報処理装置において、
前記シートデータ送信部は、前記シートデータを、ネットワークを介して、印刷装置または印刷要求を発行する装置に対して送信する、情報処理装置。
【請求項９】
入力シートを用いて入力を受け付ける入力受付装置であって、
前記入力シートは、
ユーザが前記個人認証情報を表示する認証媒体を配置するために配置された認証媒体配置領域と、
ユーザによる書き込みを受け付けるために配置された複数の書込領域と、
前記認証媒体配置領域および前記書込領域に対応付けられた内容を視覚的に説明するために印刷された内容説明部と、
前記入力シートの種類と、前記入力シート上における前記認証媒体配置領域と、前記認証媒体配置領域に配置されるべき前記認証媒体に表示される前記個人認証情報の内容と、前記入力シート上における各前記書込領域と、各前記書込領域に対応付けられた内容と、前記入力シートから受け付けられた入力の内容の送信先と、をそれぞれ特定するための情報を含むシート内容情報が、機械読取可能かつ視覚的に判読不能な形態で印刷されたシート内容情報コードと、
を含み、
前記入力受付装置は、
ユーザによって前記認証媒体が配置されると共に、前記書込領域の中の少なくとも１つに指示が書き込まれた前記入力シートを入力画像として読み取る画像読取部と、
前記入力画像上の前記シート内容情報コードに基づき、前記シート内容情報を取得するシート内容情報取得部と、
取得された前記シート内容情報を用いて、前記入力画像上において前記認証媒体配置領域を特定する認証媒体配置領域特定部と、
取得された前記シート内容情報より特定される前記個人認証情報の内容と特定された前記認証媒体配置領域の画像とを用いて、個人認証を行う認証処理部と、
取得された前記シート内容情報を用いて、前記入力画像上において前記書込領域を特定する書込領域特定部と、
取得された前記シート内容情報と特定された前記書込領域の画像とを用いて、入力情報を生成する入力情報生成部と、
前記個人認証の結果が肯定的である場合に、生成された前記入力情報を、取得された前記シート内容情報に含まれる前記送信先に送信する入力情報送信部と、
を備える、入力受付装置。
【請求項１０】
前記画像読取部としてのスキャナ機能と、前記入力シートの印刷を行う印刷機能とを含む多機能デバイスとして構成される請求項９に記載の入力受付装置。
【請求項１１】
クライアント装置と、情報処理装置と、印刷装置とを、ネットワークを介して接続してなり、入力シートを作成するシステムであって、
前記クライアント装置は、
前記情報処理装置に対して、前記ユーザを特定するユーザ特定情報と前記入力シートの作成要求を送信する作成要求部と、
前記印刷装置に対して、前記入力シートの印刷要求を送信する印刷要求部と、
を備え、
前記印刷装置は、
前記クライアント装置からの前記印刷要求に応じて、前記情報処理装置に対して、前記入力シートの印刷に用いるシートデータを要求するデータ要求を送信するデータ要求部と、
前記シートデータを用いて、前記入力シートを印刷する印刷部と、
を備え、
前記情報処理装置は、
前記クライアント装置からの前記作成要求に応じて、前記シートデータを作成するシートデータ作成部と、
前記印刷装置からの前記データ要求に応じて、前記シートデータを前記印刷装置に対して送信するシートデータ送信部と、
を備え、
前記シートデータ作成部は、
個人認証のための個人認証情報を記憶する記憶部と、
ユーザが前記個人認証情報を表示する認証媒体を配置するための認証媒体配置領域を前記入力シート上に配置する認証媒体配置領域配置部と、
ユーザによる書き込みを受け付けるための複数の書込領域を前記入力シート上に配置する書込領域配置部と、
前記認証媒体配置領域および前記書込領域に対応付けられた内容を視覚的に説明する内容説明部を前記入力シート上に配置する説明配置部と、
前記入力シートの種類と、前記入力シート上における前記認証媒体配置領域と、前記認証媒体配置領域に配置されるべき前記認証媒体に表示される前記個人認証情報の内容と、前記入力シート上における各前記書込領域と、各前記書込領域に対応付けられた内容と、前記入力シートから受け付けられた入力の内容の送信先と、をそれぞれ特定するための情報を含むシート内容情報を機械読取可能かつ視覚的に判読不能な形態で示すシート内容情報コードを、前記入力シート上に配置するコード配置部と、
を備えるシステム。
【請求項１２】
入力シートを用いて、ユーザから入力を受け付けるための方法であって、
個人認証のための個人認証情報を管理し、
ユーザが前記個人認証情報を表示する認証媒体を配置するための認証媒体配置領域を前記入力シート上に配置し、
ユーザによる書き込みを受け付けるための複数の書込領域を前記入力シート上に配置し、
前記認証媒体配置領域および前記書込領域に対応付けられた内容を視覚的に説明する内容説明部を前記入力シート上に配置し、
前記入力シートの種類と、前記入力シート上における前記認証媒体配置領域と、前記認証媒体配置領域に配置されるべき前記認証媒体に表示される前記個人認証情報の内容と、前記入力シート上における各前記書込領域と、各前記書込領域に対応付けられた内容と、前記入力シートから受け付けられた入力の内容の送信先と、をそれぞれ特定するための情報を含むシート内容情報を機械読取可能かつ視覚的に判読不能な形態で示すシート内容情報コードを、前記入力シート上に配置し、
前記認証媒体配置領域と前記書込領域と前記内容説明部と前記シート内容情報コードとを含む前記入力シートの印刷に用いるシートデータを作成する、方法。
【請求項１３】
請求項１２に記載の方法は、さらに、
前記認証媒体配置領域と前記書込領域と前記内容説明部と前記シート内容情報コードとを含む前記入力シートを印刷し、
ユーザによって前記認証媒体が配置されると共に、前記書込領域の中の少なくとも１つに指示が書き込まれた前記入力シートを入力画像として読み取り、
前記入力画像上の前記シート内容情報コードに基づき、前記シート内容情報を取得し、
取得された前記シート内容情報を用いて、前記入力画像上において前記認証媒体配置領域を特定し、
取得された前記シート内容情報より特定される前記個人認証情報の内容と特定された前記認証媒体配置領域の画像とを用いて、個人認証を行い、
取得された前記シート内容情報を用いて、前記入力画像上において前記書込領域を特定い、
取得された前記シート内容情報と特定された前記書込領域の画像とを用いて、入力情報を生成し、
前記個人認証の結果が肯定的である場合に、生成された前記入力情報を、取得された前記シート内容情報に含まれる前記送信先に送信する、方法。
【請求項１４】
画像読取装置を介して入力を受け付けるための入力シートを作成するためのコンピュータプログラムであって、
個人認証のための個人認証情報を管理する第１の機能と、
ユーザが前記個人認証情報を表示する認証媒体を配置するための認証媒体配置領域を前記入力シート上に配置する第２の機能と、
ユーザによる書き込みを受け付けるための複数の書込領域を前記入力シート上に配置する第３の機能と、
前記認証媒体配置領域および前記書込領域に対応付けられた内容を視覚的に説明する内容説明部を前記入力シート上に配置する第４の機能と、
前記入力シートの種類と、前記入力シート上における前記認証媒体配置領域と、前記認証媒体配置領域に配置されるべき前記認証媒体に表示される前記個人認証情報の内容と、前記入力シート上における各前記書込領域と、各前記書込領域に対応付けられた内容と、前記入力シートから受け付けられた入力の内容の送信先と、をそれぞれ特定するための情報を含むシート内容情報を機械読取可能かつ視覚的に判読不能な形態で示すシート内容情報コードを、前記入力シート上に配置する第５の機能と、
前記認証媒体配置領域と前記書込領域と前記内容説明部と前記シート内容情報コードとを含む前記入力シートの印刷に用いるシートデータを送信する第６の機能と、
をコンピュータに実現させるコンピュータプログラム。
【請求項１５】
入力シートを用いて入力を受け付けるためのコンピュータプログラムであって、
前記入力シートは、
ユーザが前記個人認証情報を表示する認証媒体を配置するために配置された認証媒体配置領域と、
ユーザによる書き込みを受け付けるために配置された複数の書込領域と、
前記認証媒体配置領域および前記書込領域に対応付けられた内容を視覚的に説明するために印刷された内容説明部と、
前記入力シートの種類と、前記入力シート上における前記認証媒体配置領域と、前記認証媒体配置領域に配置されるべき前記認証媒体に表示される前記個人認証情報の内容と、前記入力シート上における各前記書込領域と、各前記書込領域に対応付けられた内容と、前記入力シートから受け付けられた入力の内容の送信先と、をそれぞれ特定するための情報を含むシート内容情報が、機械読取可能かつ視覚的に判読不能な形態で印刷されたシート内容情報コードと、
を含み、
前記コンピュータプログラムは、
ユーザによって前記認証媒体が配置されると共に、前記書込領域の中の少なくとも１つに指示が書き込まれた前記入力シートを入力画像として読み取る第１の機能と、
前記入力画像上の前記シート内容情報コードに基づき、前記シート内容情報を取得する第２の機能と、
取得された前記シート内容情報を用いて、前記入力画像上において前記認証媒体配置領域を特定する第３の機能と、
取得された前記シート内容情報より特定される前記個人認証情報の内容と特定された前記認証媒体配置領域の画像とを用いて、個人認証を行う第４の機能と、
取得された前記シート内容情報を用いて、前記入力画像上において前記書込領域を特定する第５の機能と、
取得された前記シート内容情報と特定された前記書込領域の画像とを用いて、入力情報を生成する第６の機能と、
前記個人認証の結果が肯定的である場合に、生成された前記入力情報を、取得された前記シート内容情報に含まれる前記送信先に送信する第７の機能と、
をコンピュータに実現させるコンピュータプログラム。
【請求項１６】
ユーザから入力を受け付けるために使用される入力シートであって、
ユーザが前記個人認証情報を表示する認証媒体を配置するために配置された認証媒体配置領域と、
ユーザによる書き込みを受け付けるために配置された複数の書込領域と、
前記認証媒体配置領域および前記書込領域に対応付けられた内容を視覚的に説明するために印刷された内容説明部と、
前記入力シートの種類と、前記入力シート上における前記認証媒体配置領域と、前記認証媒体配置領域に配置されるべき前記認証媒体に表示される前記個人認証情報の内容と、前記入力シート上における各前記書込領域と、各前記書込領域に対応付けられた内容と、前記入力シートから受け付けられた入力の内容の送信先と、をそれぞれ特定するための情報を含むシート内容情報が、機械読取可能かつ視覚的に判読不能な形態で印刷されたシート内容情報コードと、
を含む入力シート。
【発明の詳細な説明】
【技術分野】
【０００１】
この発明は、ユーザから入力を受け付けるために使用される入力シートに関連した技術に関する。
【背景技術】
【０００２】
ユーザから入力を受け付けるために使用される入力シートを用いる技術の一つとして、録画を予約するためのオーダーシートを用いる技術が知られている（例えば、特許文献１）。
【０００３】
【特許文献１】特開２００４−２８９４８３号公報
【０００４】
この従来技術では、デジタル放送受信装置の内部に印刷部と、録画指示読取部が設けられている。印刷部は、電子番組表を印刷する。この電子番組表には、ユーザが録画予約を指示するための予約用チェックボックスが印刷されている。ユーザが予約用チェックボックスにチェックを行った後に、電子番組表を録画指示読取部で読取らせると、デジタルテレビに録画が予約される。
【０００５】
しかしながら、従来技術では、電子番組表などの入力シートにおいて、チェックボックスなどの予め決まった配置物を、予め決まった位置にしか配置できず、融通性に乏しいという問題があった。例えば、入力シートを受け付ける際の個人認証をどうするかは、未解決の課題であった。このような問題は、電子番組表を用いた録画予約に限らず、一般に、情報処理装置が、入力シートを用いてユーザから入力を受け付ける技術に共通する問題であった。
【発明の開示】
【発明が解決しようとする課題】
【０００６】
本発明は、入力シートの作成／利用の際における個人認証の仕組みを提供することを目的とする。
【課題を解決するための手段】
【０００７】
本発明は、上述の課題の少なくとも一部を解決するために、以下の形態または適用例として実現することが可能である。
【０００８】
［適用例１］画像読取装置を介して入力を受け付けるための入力シートを作成するための情報処理装置であって、
個人認証のための個人認証情報を記憶する記憶部と、
ユーザが前記個人認証情報を表示する認証媒体を配置するための認証媒体配置領域を前記入力シート上に配置する認証媒体配置領域配置部と、
ユーザによる書き込みを受け付けるための複数の書込領域を前記入力シート上に配置する書込領域配置部と、
前記認証媒体配置領域および前記書込領域に対応付けられた内容を視覚的に説明する内容説明部を前記入力シート上に配置する説明配置部と、
前記入力シートの種類と、前記入力シート上における前記認証媒体配置領域と、前記認証媒体配置領域に配置されるべき前記認証媒体に表示される前記個人認証情報の内容と、前記入力シート上における各前記書込領域と、各前記書込領域に対応付けられた内容と、前記入力シートから受け付けられた入力の内容の送信先と、をそれぞれ特定するための情報を含むシート内容情報を機械読取可能かつ視覚的に判読不能な形態で示すシート内容情報コードを、前記入力シート上に配置するコード配置部と、
前記認証媒体配置領域と前記書込領域と前記内容説明部と前記シート内容情報コードとを含む前記入力シートの印刷に用いるシートデータを送信するシートデータ送信部と、
を備える情報処理装置。
【０００９】
適用例１の情報処理装置により送信されたシートデータを用いて印刷された入力シートを用いれば、入力シートの読み取り結果としての画像データを用いて容易に個人認証処理を実現することができる。
【００１０】
適用例１の情報処理装置は、さらに、ネットワークを介して、前記ユーザを特定するユーザ特定情報と前記入力シートの作成要求を受け付ける要求受付部を備え、前記シート内容情報において、前記認証媒体に表示される前記個人認証情報の内容は、前記ユーザ特定情報により特定されるユーザに関する前記個人認証情報の内容であっても良い。こうすれば、受け付けられたユーザ特定情報により特定されるユーザのための個人認証処理を実現するための入力シートデータを容易に作成することができる。
【００１１】
適用例１の情報処理装置において、前記シート内容情報は、さらに、前記認証媒体の種類を特定するための情報を含んでも良い。こうすれば、個人認証処理において、認証媒体の種類に応じた処理を実現することができる。
【００１２】
適用例１の情報処理装置において、前記認証媒体配置領域を特定するための情報は、認証媒体配置領域全体の位置および大きさを含んでも良いし、前記認証媒体配置領域を特定するための情報は、前記認証媒体配置領域に前記認証媒体が配置された状態において、配置された前記認証媒体における前記個人認証情報を表示する部分を特定するための情報を含んでも良い。
【００１３】
適用例１の情報処理装置において、ユーザが前記認証媒体を配置することは、ａ）身分証を配置することｂ）会員カードを配置することｃ）印鑑を押印することのいずれかを含んでも良い。
【００１４】
適用例１の情報処理装置において、前記書込領域は、書き込みの有無に対応する二値情報を受け付けるためのマーク領域と、文字情報および図形情報の少なくとも一方を受け付けるためのメモ領域を含んでも良い。こうすれば、任意の位置および数のマーク領域およびメモ領域を、入力シート上に配置できるので、より柔軟な入力受付システムを構築できる。
【００１５】
適用例１の情報処理装置において、前記シートデータ送信部は、前記シートデータを、ネットワークを介して、印刷装置または印刷要求を発行する装置に対して送信しても良い。
【００１６】
［適用例２］入力シートを用いて入力を受け付ける入力受付装置であって、
前記入力シートは、
ユーザが前記個人認証情報を表示する認証媒体を配置するために配置された認証媒体配置領域と、
ユーザによる書き込みを受け付けるために配置された複数の書込領域と、
前記認証媒体配置領域および前記書込領域に対応付けられた内容を視覚的に説明するために印刷された内容説明部と、
前記入力シートの種類と、前記入力シート上における前記認証媒体配置領域と、前記認証媒体配置領域に配置されるべき前記認証媒体に表示される前記個人認証情報の内容と、前記入力シート上における各前記書込領域と、各前記書込領域に対応付けられた内容と、前記入力シートから受け付けられた入力の内容の送信先と、をそれぞれ特定するための情報を含むシート内容情報が、機械読取可能かつ視覚的に判読不能な形態で印刷されたシート内容情報コードと、
を含み、
前記入力受付装置は、
ユーザによって前記認証媒体が配置されると共に、前記書込領域の中の少なくとも１つに指示が書き込まれた前記入力シートを入力画像として読み取る画像読取部と、
前記入力画像上の前記シート内容情報コードに基づき、前記シート内容情報を取得するシート内容情報取得部と、
取得された前記シート内容情報を用いて、前記入力画像上において前記認証媒体配置領域を特定する認証媒体配置領域特定部と、
取得された前記シート内容情報より特定される前記個人認証情報の内容と特定された前記認証媒体配置領域の画像とを用いて、個人認証を行う認証処理部と、
取得された前記シート内容情報を用いて、前記入力画像上において前記書込領域を特定する書込領域特定部と、
取得された前記シート内容情報と特定された前記書込領域の画像とを用いて、入力情報を生成する入力情報生成部と、
前記個人認証の結果が肯定的である場合に、生成された前記入力情報を、取得された前記シート内容情報に含まれる前記送信先に送信する入力情報送信部と、
を備える、入力受付装置。
【００１７】
適用例２の入力受付装置によれば、入力シートのシート内容情報コードから個人認証情報を読み取り、個人認証を行うので、入力受付装置は、予め個人認証情報を認識していなくても個人認証処理を実現できる。
【００１８】
適用例２の入力受付装置は、前記画像読取部としてのスキャナ機能と、前記入力シートの印刷を行う印刷機能とを含む多機能デバイスとして構成されても良い。こうすれば、入力シートの印刷と、入力シートを用いた入力の受け付けを１つの装置で実現することができる。
【００１９】
［適用例３］クライアント装置と、情報処理装置と、印刷装置とを、ネットワークを介して接続してなり、入力シートを作成するシステムであって、
前記クライアント装置は、
前記情報処理装置に対して、前記ユーザを特定するユーザ特定情報と前記入力シートの作成要求を送信する作成要求部と、
前記印刷装置に対して、前記入力シートの印刷要求を送信する印刷要求部と、
を備え、
前記印刷装置は、
前記クライアント装置からの前記印刷要求に応じて、前記情報処理装置に対して、前記入力シートの印刷に用いるシートデータを要求するデータ要求を送信するデータ要求部と、
前記シートデータを用いて、前記入力シートを印刷する印刷部と、
を備え、
前記情報処理装置は、
前記クライアント装置からの前記作成要求に応じて、前記シートデータを作成するシートデータ作成部と、
前記印刷装置からの前記データ要求に応じて、前記シートデータを前記印刷装置に対して送信するシートデータ送信部と、
を備え、
前記シートデータ作成部は、
個人認証のための個人認証情報を記憶する記憶部と、
ユーザが前記個人認証情報を表示する認証媒体を配置するための認証媒体配置領域を前記入力シート上に配置する認証媒体配置領域配置部と、
ユーザによる書き込みを受け付けるための複数の書込領域を前記入力シート上に配置する書込領域配置部と、
前記認証媒体配置領域および前記書込領域に対応付けられた内容を視覚的に説明する内容説明部を前記入力シート上に配置する説明配置部と、
前記入力シートの種類と、前記入力シート上における前記認証媒体配置領域と、前記認証媒体配置領域に配置されるべき前記認証媒体に表示される前記個人認証情報の内容と、前記入力シート上における各前記書込領域と、各前記書込領域に対応付けられた内容と、前記入力シートから受け付けられた入力の内容の送信先と、をそれぞれ特定するための情報を含むシート内容情報を機械読取可能かつ視覚的に判読不能な形態で示すシート内容情報コードを、前記入力シート上に配置するコード配置部と、
を備えるシステム。
【００２０】
［適用例４］入力シートを用いて、ユーザから入力を受け付けるための方法であって、
個人認証のための個人認証情報を管理し、
ユーザが前記個人認証情報を表示する認証媒体を配置するための認証媒体配置領域を前記入力シート上に配置し、
ユーザによる書き込みを受け付けるための複数の書込領域を前記入力シート上に配置し、
前記認証媒体配置領域および前記書込領域に対応付けられた内容を視覚的に説明する内容説明部を前記入力シート上に配置し、
前記入力シートの種類と、前記入力シート上における前記認証媒体配置領域と、前記認証媒体配置領域に配置されるべき前記認証媒体に表示される前記個人認証情報の内容と、前記入力シート上における各前記書込領域と、各前記書込領域に対応付けられた内容と、前記入力シートから受け付けられた入力の内容の送信先と、をそれぞれ特定するための情報を含むシート内容情報を機械読取可能かつ視覚的に判読不能な形態で示すシート内容情報コードを、前記入力シート上に配置し、
前記認証媒体配置領域と前記書込領域と前記内容説明部と前記シート内容情報コードとを含む前記入力シートの印刷に用いるシートデータを作成する、方法。
【００２１】
［適用例５］画像読取装置を介して入力を受け付けるための入力シートを作成するためのコンピュータプログラムであって、
個人認証のための個人認証情報を管理する第１の機能と、
ユーザが前記個人認証情報を表示する認証媒体を配置するための認証媒体配置領域を前記入力シート上に配置する第２の機能と、
ユーザによる書き込みを受け付けるための複数の書込領域を前記入力シート上に配置する第３の機能と、
前記認証媒体配置領域および前記書込領域に対応付けられた内容を視覚的に説明する内容説明部を前記入力シート上に配置する第４の機能と、
前記入力シートの種類と、前記入力シート上における前記認証媒体配置領域と、前記認証媒体配置領域に配置されるべき前記認証媒体に表示される前記個人認証情報の内容と、前記入力シート上における各前記書込領域と、各前記書込領域に対応付けられた内容と、前記入力シートから受け付けられた入力の内容の送信先と、をそれぞれ特定するための情報を含むシート内容情報を機械読取可能かつ視覚的に判読不能な形態で示すシート内容情報コードを、前記入力シート上に配置する第５の機能と、
前記認証媒体配置領域と前記書込領域と前記内容説明部と前記シート内容情報コードとを含む前記入力シートの印刷に用いるシートデータを送信する第６の機能と、
をコンピュータに実現させるコンピュータプログラム。
【００２２】
［適用例６］入力シートを用いて入力を受け付けるためのコンピュータプログラムであって、
前記入力シートは、
ユーザが前記個人認証情報を表示する認証媒体を配置するために配置された認証媒体配置領域と、
ユーザによる書き込みを受け付けるために配置された複数の書込領域と、
前記認証媒体配置領域および前記書込領域に対応付けられた内容を視覚的に説明するために印刷された内容説明部と、
前記入力シートの種類と、前記入力シート上における前記認証媒体配置領域と、前記認証媒体配置領域に配置されるべき前記認証媒体に表示される前記個人認証情報の内容と、前記入力シート上における各前記書込領域と、各前記書込領域に対応付けられた内容と、前記入力シートから受け付けられた入力の内容の送信先と、をそれぞれ特定するための情報を含むシート内容情報が、機械読取可能かつ視覚的に判読不能な形態で印刷されたシート内容情報コードと、
を含み、
前記コンピュータプログラムは、
ユーザによって前記認証媒体が配置されると共に、前記書込領域の中の少なくとも１つに指示が書き込まれた前記入力シートを入力画像として読み取る第１の機能と、
前記入力画像上の前記シート内容情報コードに基づき、前記シート内容情報を取得する第２の機能と、
取得された前記シート内容情報を用いて、前記入力画像上において前記認証媒体配置領域を特定する第３の機能と、
取得された前記シート内容情報より特定される前記個人認証情報の内容と特定された前記認証媒体配置領域の画像とを用いて、個人認証を行う第４の機能と、
取得された前記シート内容情報を用いて、前記入力画像上において前記書込領域を特定する第５の機能と、
取得された前記シート内容情報と特定された前記書込領域の画像とを用いて、入力情報を生成する第６の機能と、
前記個人認証の結果が肯定的である場合に、生成された前記入力情報を、取得された前記シート内容情報に含まれる前記送信先に送信する第７の機能と、
をコンピュータに実現させるコンピュータプログラム。
【００２３】
［適用例７］ユーザから入力を受け付けるために使用される入力シートであって、
ユーザが前記個人認証情報を表示する認証媒体を配置するために配置された認証媒体配置領域と、
ユーザによる書き込みを受け付けるために配置された複数の書込領域と、
前記認証媒体配置領域および前記書込領域に対応付けられた内容を視覚的に説明するために印刷された内容説明部と、
前記入力シートの種類と、前記入力シート上における前記認証媒体配置領域と、前記認証媒体配置領域に配置されるべき前記認証媒体に表示される前記個人認証情報の内容と、前記入力シート上における各前記書込領域と、各前記書込領域に対応付けられた内容と、前記入力シートから受け付けられた入力の内容の送信先と、をそれぞれ特定するための情報を含むシート内容情報が、機械読取可能かつ視覚的に判読不能な形態で印刷されたシート内容情報コードと、
を含む入力シート。
【００２４】
上記適用例３〜適用例７は、上記適用例１に係る情報処理装置および／または上記適用例２に係る入力受付装置と同様の作用効果を得ることができる。また、上記適用例３〜適用例７は、上記適用例１に係る情報処理装置および／または上記適用例２に係る入力受付装置と同様にして種々の態様にて実現され得る。
【００２５】
なお、本発明は、種々の形態で実現することが可能であり、例えば、上記適用例５または上記適用例６に係るコンピュータプログラムを記録した記録媒体等の態様で実現することができる。
【発明を実施するための最良の形態】
【００２６】
次に、本発明の実施の形態を実施例に基づいて説明する。
【００２７】
A．実施例：
・ネットワークシステムの構成：
図１は、実施例におけるネットワークシステムの構成を示す概念図である。ネットワークシステム１０００は、中継ユニット１００と、多機能デバイス２００と、レコーダ４００と、デジタルＴＶ５００、６００と、パーソナルコンピュータ７００と、店舗サーバ８００とを備えている。
【００２８】
中継ユニット１００とレコーダ４００とデジタルＴＶ６００とパーソナルコンピュータ７００は、第１のローカルエリアネットワークＬＡＮ１に接続されている。中継ユニット１００と多機能デバイス２００は、ＵＳＢケーブルＣＶ１を用いて接続されている。レコーダ４００とデジタルＴＶ５００は、デジタルまたはアナログの音声／映像ケーブルＣＶ２を用いて接続されている。店舗サーバ８００は、第２のローカルエリアネットワークＬＡＮ２に接続されている。第１のローカルエリアネットワークＬＡＮ１と第２のローカルエリアネットワークＬＡＮ２は、インターネットＩＮＴに接続されている。ローカルエリアネットワークとインターネットＩＮＴとからなる接続網を単にネットワークとも呼ぶ。
【００２９】
中継ユニット１００は、ネットワークに接続された外部機器、例えば、レコーダ４００や店舗サーバ８００と通信を行い、かかる通信に関連した制御を多機能デバイス２００に対して行う。この結果、中継ユニット１００と多機能デバイス２００は、一つのネットワークデバイス３００として機能する。なお、ネットワークデバイス３００は、中継ユニット１００と多機能デバイス２００との機能を有する一体型の１つの装置として実現されても良い。ローカルエリアネットワークＬＡＮ１、ＬＡＮ２は、ＩＥＥＥ８０２．３のような有線ネットワークでも、ＩＥＥＥ８０２．１１ｂ／ｇ／ａなどの無線ネットワークでもよい。
【００３０】
図２は、店舗サーバ８００の内部構成を示すブロック図である。店舗サーバ８００は、商品（本実施例では食品）を販売する事業者が設置しているサーバであり、特許請求の範囲における情報処理装置に対応する。店舗サーバ８００は、中央演算装置（ＣＰＵ）８１０と、ＲＯＭやＲＡＭなどの内部記憶装置８２０と、ハードディスクドライブなどの外部記憶装置８３０と、第２のローカルエリアネットワークＬＡＮ２に接続するためのＮＩＣ（Network Interface Card）などのネットワークインタフェース（ＩＦ）部８４０と、を備える。各構成要素８１０〜８４０は、内部バスＢＳ１を介して互いに接続されている。
【００３１】
内部記憶装置８２０には、店舗サーバ８００のサーバ機能を実現するためのＨＴＴＰサーバプログラム８２１が格納されている。ＨＴＴＰサーバプログラム８２１は、モジュールとして、オーダーシートを作成するためのオーダーシート作成部８２２と、入力情報の受付および処理のための入力情報処理プログラム８２３と、ＷＥＢサービスを実現するためのＷＥＢサービスプログラム８２４とを備えている。ＨＴＴＰサーバプログラム８２１の全部または一部は、例えば、フレキシブルディスクやＣＤ−ＲＯＭ等の、コンピュータ読み取り可能な記録媒体に記録された形態で、あるいは、ネットワークを介して、店舗サーバ８００に提供される。
【００３２】
オーダーシート作成部８２２は、サブモジュールとして、認証情報管理部Ｍ１と、テンプレート選択部Ｍ２と、認証媒体配置領域配置部Ｍ３と、書込領域配置部Ｍ４と、説明配置部Ｍ５と、コード配置部Ｍ６と、シートデータ送信部Ｍ７とを備え、ＷＥＢサービスプログラム８２４は、サブモジュールとして、作成要求受付部Ｍ８を備える。これらの各部の機能については後述する。
【００３３】
外部記憶装置８３０には、オーダーシートテンプレートＯＳＴと、ＷＥＢページデータＷＤと、個人認証情報データベースＰＤが格納されている。オーダーシートテンプレートＯＳＴは、オーダーシートを作成する際に用いられる。ＷＥＢページデータＷＤは、アクセスに応じてＷＥＢサービスとして提供されるＷＥＢページのＨＴＭＬデータである。個人認証情報データベースＰＤは、後述するオーダーシートにＱＲコード（Quick Response code）の形態で印刷される個人認証情報を記憶・管理するためのデータベースである。
【００３４】
図３は、ネットワークデバイス３００の内部構成を示すブロック図である。図３には、ネットワークデバイス３００を構成する中継ユニット１００および多機能デバイス２００の各内部構成が示されている。ネットワークデバイス３００は、特許請求の範囲における入力受付装置に対応する。
【００３５】
中継ユニット１００は、ＣＰＵ１１０と、ＲＯＭやＲＡＭなどの内部記憶装置１２０と、ＵＳＢケーブルＣＶ１を介して多機能デバイス２００と通信するためのＵＳＢホストインタフェース（ＩＦ）部１３０と、第１のローカルエリアネットワークＬＡＮ１に接続するためのＮＩＣなどのネットワークインタフェース（ＩＦ）部１４０と、操作パネルなどの操作部１５０と、を備える。各構成要素１１０〜１５０は、内部バスＢＳ２を介して、互いに接続されている。
【００３６】
内部記憶装置１２０には、中継ユニット１００の機能を実現するためのプログラムとして、後述するオーダーシートを読み取ってユーザから入力を受け付けるための入力受付プログラム１２２と、多機能デバイス２００を制御するデバイス制御プログラム１２６とが格納されている。各プログラムの全部または一部は、例えば、製造時に内部記憶装置１２０に格納されても良いし、図示しないハードディスクなどの外部記憶装置に格納され、中継ユニット１００の動作時に内部記憶装置１２０に読み出されても良い。また、各プログラムの全部または一部は、コンピュータ読み取り可能な記録媒体に記録された形態で、あるいは、ネットワークを介して、中継ユニット１００に提供されても良い。
【００３７】
デバイス制御プログラム１２６は、サブモジュールとして、印刷要求受信部Ｍ１８と、データ要求部Ｍ１９を備える。入力受付プログラム１２２は、サブモジュールとして、入力画像取得部Ｍ１１と、シート内容情報取得部Ｍ１２と、認証媒体配置領域特定部Ｍ１３と、個人認証処理部Ｍ１４と、書込領域特定部Ｍ１５と、入力情報生成部Ｍ１６と、入力情報送信部Ｍ１７と、を備えている。これらの各部の機能については後述する。
【００３８】
多機能デバイス２００は、ＣＰＵ２１０と、ＲＯＭやＲＡＭなどの内部記憶装置２２０と、操作パネルなどの操作部２３０と、ＵＳＢケーブルＣＶ１を介して中継ユニット１００と通信するためのＵＳＢデバイスインタフェース（ＩＦ）部２４０と、プリンタエンジン２５０と、スキャナエンジン２６０と、を備える。内部記憶装置２２０には、多機能デバイス２００の機能を実現するための制御プログラム２２２が格納されている。プリンタエンジン２５０は、印刷を行う機構部分であり、スキャナエンジン２６０は、画像の読み取り処理を行う機構部分である。各構成要素２１０〜２６０は、内部バスＢＳ３を介して互いに接続されている。
【００３９】
図４は、レコーダ４００の内部構成を示すブロック図である。本実施例におけるレコーダ４００は、テレビ番組などの映像を記録・再生する機能と共に、後述するようにネットワークを介してＷＥＢページなどの情報ソースにアクセスし、表示装置（本実施例では、デジタルＴＶ５００）に表示するブラウズ機能を備えている。
【００４０】
レコーダ４００は、ＣＰＵ４１０と、ＲＯＭやＲＡＭなどの内部記憶装置４２０と、デジタルＴＶ５００などの表示装置と接続するためのビデオインターフェース（ＩＦ）部４３０と、第１のローカルエリアネットワークＬＡＮ１に接続するためのＮＩＣなどのネットワークインタフェース（ＩＦ）部４４０と、操作パネルなどの操作部４５０と、ハードディスクなどの外部記憶装置４６０と、を備える。各構成要素４１０〜４６０は、内部バスＢＳ４を介して、互いに接続されている。
【００４１】
内部記憶装置４２０には、レコーダ４００の機能を実現するためのプログラムとして、ブラウズ機能を実現するブラウザプログラム４２２と、後述するオーダーシートの印刷要求を発行するシート印刷要求部４２４とが格納されている。ブラウザプログラム４２２は、サブモジュールとして、シート作成要求部Ｍ２１を備えている。
【００４２】
・ネットワークシステムの動作：
図５は、オーダーシートを印刷する手順を示すフローチャートである。レコーダ４００のブラウザプログラム４２２は、ユーザの操作に応じて、起動・動作し、ＷＥＢページにアクセスする。ユーザが店舗サーバ８００へのアクセスを指示すると、ブラウザプログラム４２２は、店舗サーバ８００が提供するＷＥＢページにアクセスする（ステップＳ１００）。以上のようにレコーダ４００は、店舗サーバ８００にサービスを求めるクライアント装置として機能する。店舗サーバ８００のＷＥＢサービスプログラム８２４は、ブラウザプログラム４２２からのアクセスに応じてレコーダ４００に対してＷＥＢページデータＷＤを送信する（ステップＳ２００）。レコーダ４００のブラウザプログラム４２２は、受信したＷＥＢページデータＷＤが表すＷＥＢページをデジタルＴＶ５００に表示する（ステップＳ１１０）。
【００４３】
図６は、ステップＳ１１０においてデジタルＴＶ５００に表示されたＷＥＢページＷＰの一例を示す図である。このＷＥＢページＷＰには、ユーザインタフェース（ＵＩ）として、ユーザから注文を望む商品群の選択指示を受け付けるためのチェックボックスＣＢ１と、ユーザからオーダーシートの印刷指示を受け付けるためのボタンＢ１とが表示されている。ＷＥＢページＷＰには、さらに、ＵＩとして、ユーザの名前の入力を受け付けるための入力ボックスＩＢが表示されている。ユーザは、これらのＵＩを用いて、ユーザの名前を入力すると共に、オーダーシートの印刷指示を入力することができる。
【００４４】
レコーダ４００のブラウザプログラム４２２のシート作成要求部Ｍ２１は、ユーザから、ユーザの名前とオーダーシートの印刷指示を受け付ける（ステップＳ１２０、Ｓ１３０）と、受け付けたユーザの名前を店舗サーバ８００に対して送信すると共に、オーダーシートを印刷するためのシートデータ（以下、オーダーシートデータという。）を取得するためのＵＲＩを店舗サーバ８００に対して要求する（ステップＳ１３０）。具体的には、シート作成要求部Ｍ２１の機能は、図６に示すＷＥＢページＷＰを表すＷＥＢページデータＷＤに記述されたクライアントサイドプログラムとして実現されている。クライアントサイドプログラムは、例えば、ＪａｖａＳｃｒｉｐｔを用いて、作成されている。ユーザが、名前を入力ボックスＩＢに入力した後、ボタンＢ１をクリックすると、ブラウザプログラム４２２は、クライアントサイドプログラムに従って、オーダーシートデータのＵＲＩを要求するＨＴＴＰリクエストを店舗サーバ８００に送信する。このＨＴＴＰリクエストには、ボタンＢ１がクリックされた時点における各チェックボックスＣＢ１のチェック状況と、入力ボックスＩＢに入力されているユーザ名のテキストデータが記述される。
【００４５】
店舗サーバ８００において、ＷＥＢサービスプログラム８２４の作成要求受付部Ｍ８がオーダーシートのＵＲＩを要求するＨＴＴＰリクエストを受け付けると、オーダーシート作成部８２２の認証情報管理部Ｍ１、個人認証情報データベースＰＤを参照して、ユーザの個人情報を取得する（ステップＳ２１０）。
【００４６】
図７は、個人認証情報データベースＰＤの内容の一例を概念的に示す図である。個人認証情報データベースＰＤには、予め顧客であるユーザの個人認証情報と住所が、ユーザを特定するためのユーザ名と関連付けて記録されている。本実施例では、個人認証情報は、免許証番号、保険証番号、パスポート番号の３種類のうちの一つが、各ユーザについて記録されている。このような顧客の名前、個人認証情報、住所は、郵送、ＦＡＸなどにより書面で受け付けられても良いし、インターネットＩＮＴなどを通じて電子的に受け付けられても良い。
【００４７】
オーダーシート作成部８２２の認証情報管理部Ｍ１は、ステップＳ２１０において、ＨＴＴＰリクエストに含まれるユーザ名を検索キーとして個人認証情報データベースＰＤを検索して、当該ユーザ名に関連付けられている個人認証情報と、その種類とを取得する。
【００４８】
個人認証情報、および、その種類が取得されると、オーダーシート作成部８２２は、オーダーシートオーダーシートデータを作成する（ステップＳ２２０）。
【００４９】
図８は、ピザ注文用のオーダーシートのテンプレートＯＳＴ１の一例を示す図である。図９は、印刷されたオーダーシートの一例を示す図である。
【００５０】
オーダーシート作成部８２２のテンプレート選択部Ｍ２は、チェックボックスＣＢ１のチェック状況に応じて、外部記憶装置８３０に格納されているオーダーシートテンプレートＯＳＴの中から１つを選択する。オーダーシートテンプレートＯＳＴは、例えば、商品群ごとに１つずつ用意されている。図８に示すテンプレートＯＳＴ１が選択されたものとして説明を進める。オーダーシート作成部８２２は、選択されたテンプレートＯＳＴ１を編集することにより、オーダーシートデータを作成する。
【００５１】
具体的には、オーダーシート作成部８２２の書込領域配置部Ｍ４は、オーダーシート上に複数種類の書込領域を配置する。ここで、オーダーシート上に配置するとは、後に印刷されるオーダーシート上において、所望の位置に所望の対象（文字、図形など）が配置されるように、オーダーシートデータを編集、修正、生成することを意味する。図８に示すように、テンプレートＯＳＴ１には、タイトルＴＴと共に、複数種類の書込領域、すなわち、マーク領域ＭＡ１、ＭＡ２と、メモ領域ＭＥ１とが配置可能にされている。書込領域は、印刷されたオーダーシート上に配置され、ユーザが入力情報を書き込むための領域である。マーク領域は、書込領域の一形態であり、ユーザに塗りつぶされた状態が「真」、塗りつぶされていない状態が「偽」というように、書き込みの有無に対応する二値情報の入力を受け付ける。メモ領域は、書込領域の一形態であり、本実施例では、ユーザによる文字の書き込みに応じて、文字情報の入力を受け付ける。書込領域配置部Ｍ４は、テンプレートＯＳＴ１を編集して、所望の種類の書込領域を、所望の数だけ、所望の位置に配置する。
【００５２】
オーダーシート作成部８２２の認証媒体配置領域配置部Ｍ３は、オーダーシート上に、認証媒体配置領域を配置する。図８に示すように、テンプレートＯＳＴ１には、認証媒体配置領域ＣＡが配置可能にされている。認証媒体配置領域ＣＡは、ユーザが、認証媒体として免許証、保険証、パスポートのいずれかを配置するための領域である。認証媒体配置領域配置部Ｍ３は、ステップＳ２１０において、認証情報管理部Ｍ１により取得された個人認証情報の種類に応じて、認証媒体配置領域ＣＡの大きさを調整して、オーダーシート上に配置する。例えば、取得された個人認証情報が免許証番号である場合には、認証媒体配置領域ＣＡの大きさを免許証の大きさに合わせて調整してオーダーシート上に配置する。
【００５３】
オーダーシート作成部８２２の説明配置部Ｍ５は、各書込領域に対応付けられた内容を視覚的に判読可能に説明する説明部をオーダーシート上に配置する。図７に示すように、テンプレートＯＳＴ１は、各書込領域ＭＡ１、ＭＡ２、ＭＥ１のそれぞれに、対応する説明部ＣＮ１〜ＣＮ５を配置可能にされている。例えば、マーク領域ＭＡ１に対応付けられた内容は「ピザの種類」である。マーク領域ＭＡ１の説明として、「ピザの種類」と記述された説明部ＣＮ１と、さらに具体的なピザの名前が記述された説明部ＣＮ２が配置されている。
【００５４】
さらに、説明配置部Ｍ５は、認証媒体配置領域ＣＡに対応付けられた内容を視覚的に判読可能に説明する説明部ＣＮ６をオーダーシート上の認証媒体配置領域ＣＡの上方に配置する。説明部ＣＮ６の内容は、ステップＳ２１０において、認証情報管理部Ｍ１により取得された個人認証情報の種類に応じて、編集される。例えば、説明配置部Ｍ５は、取得された個人認証情報が免許証番号である場合には、説明部ＣＮ６の内容を「免許証を配置して下さい」とする。また、説明配置部Ｍ５は、取得された個人認証情報がパスポート番号である場合には、説明部ＣＮ６の内容を「パスポート番号の記載ページを開いてパスポートを配置して下さい」とする。
【００５５】
以上のように、説明配置部Ｍ５は、テンプレートＯＳＴ１を編集して、書込領域配置部Ｍ４により配置された書込領域および認証媒体配置領域配置部Ｍ３により配置された認証媒体配置領域ＣＡのそれぞれの説明部をオーダーシート上に配置する。
【００５６】
なお、ピザのサイズのマーク領域ＭＡ２と、その内容を記述する説明部ＣＮ４のセットは、任意の数を配置可能であり、必要に応じて図８の左右、あるいは、上下方向に並列配置される。また、オーダーシート上に配置すべきピザの種類（の具体的な名前）が複数存在する場合には、マーク領域ＭＡ１と、ピザの名前を記述した説明部ＣＮ２と、マーク領域ＭＡ２と、サイズが記述された説明部ＣＮ４と、メモ領域ＭＥ１とのセットが必要に応じて図８の下方側に繰り返し配列され、注文指示領域ＲＲ１が拡大される。それに伴い、認証媒体配置領域ＣＡおよびその説明部ＣＮ６の配置位置も下方に移動することになる。
【００５７】
書込領域、認証媒体配置領域、および、説明部の配置が決定すると、オーダーシート作成部８２２のコード配置部Ｍ６は、シート内容情報コードＣＤ１を生成する。シート内容情報コードＣＤ１は、オーダーシートに配置されている内容に関する情報（「シート内容情報」と呼ぶ）を機械読取可能かつ視覚的に判読不能な形態で示すコードである。ここで、「視覚的に判読不能」とは、肉眼ではその内容を把握できないことを意味する。本実施例では、シート内容情報コードＣＤ１としてＱＲコードを利用している。ただし、機械読取可能なコードの種類としては、ＱＲコード以外の任意のものを利用することが可能である。
【００５８】
生成されるシート内容情報コードＣＤ１は、例えば以下のシート内容情報を表している。
（１）ＱＲコードの数と位置（及び、必要な場合にはそのサイズ）を特定するための情報
（２）オーダーシートの種類を特定するための情報（例えば、ピザ注文シートであること、あるいは、ピザ注文シートが複数種類ある場合にはその種類、を特定するための情報）
（３）配置されている書込領域の種類を特定するための情報（例えば、マーク領域であること、メモ領域であることを特定するための情報）。
（４）配置されているマーク領域の数と位置（及び、必要な場合にはその大きさ）を特定するための情報
（５）配置されているメモ領域の数と位置と大きさを特定するための情報
（６）各書込領域に対応付けられた内容を特定するための情報（例えば、ピザの具体的な名前を特定するための品番）
（７）入力情報の宛先（例えば、店舗サーバ８００のＵＲＩ）
（８）認証媒体配置領域ＣＡの位置および大きさ
（９）認証媒体配置領域ＣＡに認証媒体（例えば、免許証）が配置された状態において、当該認証媒体における個人認証情報を表示する部分（例えば、免許証番号が記載された部分）を特定するための情報
（１０）認証媒体の種類（例えば、免許証、保険証、パスポートのいずれであるか）
（１１）認証媒体に表示される個人認証情報（例えば、免許証に表示される免許証番号）
【００５９】
上記情報（８）〜（１０）は、ステップＳ２１０において、認証情報管理部Ｍ１により取得された個人認証情報の種類に応じて設定され、認証媒体配置領域配置部Ｍ３によりオーダーシート上に配置された認証媒体配置領域ＣＡと対応した情報になる。上記情報（１１）は、ステップＳ２１０において、認証情報管理部Ｍ１により取得された個人認証情報の内容を表す情報にされる。また、シート内容情報コードＣＤ１は、上記情報（８）および（９）のうちの、いずれか一方のみを含んでも良い。
【００６０】
シート内容情報コードＣＤ１は、上記情報（１）〜（７）のうちの一部のみを記述するものでもよいが、少なくとも上記情報（３）〜（５）を記述するものであることが好ましい。この理由は、これらの情報（３）〜（５）によって、オーダーシート上において書込領域が配置されている場所が特定されるからである。これらの情報（３）〜（５）は、オーダーシートの種類に応じて様々な内容に設定される。上記情報（１）は、ＱＲコードが予め定められた数、定められた位置に、定められた大きさで記述されている場合には、無くても良い。上記情報（１）は、例えば、シート内容情報が大量に必要となった場合などに、ＱＲコードを、予め定められた数、大きさを超えて、配置する場合に有用である。予め定められた位置に配置されたＱＲコードに情報（１）を含めておけば、後述する入力受け付け処理において、入力受け付け装置（本実施例では、ネットワークデバイス３００）は、情報（１）に基づき、予め定められた範囲を超えて配置されたＱＲコードの位置および大きさを特定することができる。
【００６１】
コード配置部Ｍ６は、生成されたシート内容情報コードＣＤ１を、オーダーシート上に配置する。具体的には、テンプレートＯＳＴ１におけるコード配置領域ＣＤＡ（図８）に対応する位置に、シート内容情報コードＣＤ１を配置する。シート内容情報コードＣＤ１は、機械読取りの便宜上、種類の異なるオーダーシートに共通する予め定められた位置に配置されることが好ましい。
【００６２】
図９には、このようなプロセスを経て完成されたオーダーシートの一例を示している。図９から解るように、オーダーシートには、マーク領域ＭＡ１やメモ領域ＭＥ１が、所望の数だけ配置されると共に、オーダーシートの種類に応じたタイトルＴＴや、ピザの名前、サイズが具体的に記述された注文指示領域ＲＲ１が配置されている。さらに、オーダーシートには、注文指示領域ＲＲ１の下にユーザが認証媒体としての免許証を配置するための認証媒体配置領域ＣＡがその内容の説明部ＣＮ６と共に配置されている。さらに、オーダーシートには、注文指示領域ＲＲ１の上に、上述したシート内容情報コードＣＤ１が配置されている。具体的なピザの種類、その数および名前などは、季節によって変更され、ピザのサイズおよびそのバリエーションの数なども変更され得る。また、認証媒体の種類によって、認証媒体配置領域ＣＡが配置される大きさは、変更される。このため、各マーク領域、各メモ領域が配置される位置、数や、認証媒体配置領域ＣＡが配置される位置および大きさは、オーダーシートによって変動がある。例えば、ピザの種類が大量に提供されるときは、オーダーシートが２ページに亘り、認証媒体配置領域ＣＡは、２ページ目に配置されることもあり得る。
【００６３】
オーダーシートデータが完成すると、ＨＴＴＰサーバプログラム８２１は、完成したオーダーシートデータに所定のＵＲＩに関連付け、関連付けたＵＲＩをレコーダ４００に送信する（ステップＳ２３０）。ＨＴＴＰサーバプログラム８２１は、例えば、オーダーシートデータのＵＲＩを要求するＨＴＴＰリクエストに対するＨＴＴＰレスポンスとして、かかるＵＲＩを送信する。
【００６４】
レコーダ４００のシート印刷要求部４２４は、オーダーシートデータのＵＲＩを指定して、オーダーシートの印刷を要求する印刷要求を、ネットワークデバイス３００に対して発行する（ステップＳ１５０）。シート印刷要求部４２４は、例えば、ＵＰｎＰ（Universal Plug and Play）アーキテクチャにおけるコントロールポイントとして実装される。かかる場合は、ネットワークデバイス３００はＵＰｎＰ対応のプリンタデバイスとして機能を備えていれば良い。
【００６５】
ネットワークデバイス３００において、デバイス制御プログラム１２６の印刷要求受信部Ｍ１８が印刷要求を受け付けると、デバイス制御プログラム１２６のデータ要求部Ｍ１９は、オーダーシートデータを店舗サーバ８００に対して要求する（ステップＳ３００）。具体的には、データ要求部Ｍ１９は、指定されたＵＲＩ宛にＧＥＴメソッドのＨＴＴＰリクエストを送信する。
【００６６】
店舗サーバ８００は、ネットワークデバイス３００からの要求に対する応答（例えば、ＨＴＴＰレスポンス）として、指定されたＵＲＩに対応付けられたオーダーシートデータをネットワークデバイス３００に対して送信する（ステップＳ２４０）。オーダーシートデータは、例えば、XHTML-printなどの文書記述言語や、PostScriptなどのページ記述言語の形式で、ネットワークデバイス３００に対して送信される。
【００６７】
デバイス制御プログラム１２６は、オーダーシートデータを取得すると、これを用いて、オーダーシートを印刷する（ステップＳ３１０）。この結果、上述した図９に示すようなオーダーシートＯＳ１が印刷される。図９において、一部の書込領域に書込がされているが、これらはユーザがペンなどの筆記具を用いて書き込んだもので、もちろん印刷時にはオーダーシートＯＳ１の全書込領域は空欄である。また、図９において、認証媒体配置領域ＣＡに免許証が配置されているが、これは、ユーザが切りこみ線に切り込みを入れて配置したもので、もちろん印刷時には配置されていない。
【００６８】
ユーザは、印刷されたオーダーシートＯＳ１を用いて、所望の注文内容（ピザの名前、サイズ、注文数）に対応する書込領域に書き込みを行い、認証媒体配置領域ＣＡに、免許証を配置する（図９参照）。
【００６９】
ユーザは、オーダーシートＯＳ１を多機能デバイス２００のスキャナに載置する。その後、ユーザは、多機能デバイス２００の操作部２３０を操作してオーダーシートＯＳ１の読み取りを指示する。
【００７０】
ネットワークデバイス３００によるオーダーシートＯＳ１を介して入力を受け付ける処理（入力受付処理）について説明する。図１０は、オーダーシートを用いた入力受付処理の手順を示すフローチャートである。ネットワークデバイス３００の多機能デバイス２００は、読み取り指示を受け付けると（ステップＳ３２０）、スキャナエンジン２６０を動作させてオーダーシートＯＳ１を入力画像として読み取るシート読み取り処理を実行する（ステップＳ３３０）。入力画像は、ＲＧＢデータなどの画像データ形式で生成され、ＵＳＢケーブルＣＶ１を介して中継ユニット１００に送られる。中継ユニット１００において、入力受付プログラム１２２の入力画像取得部Ｍ１１が、多機能デバイス２００から送られてきた入力画像を取得する。
【００７１】
入力画像が取得されると、入力受付プログラム１２２のシート内容情報取得部Ｍ１２は、入力画像のシート内容情報コードＣＤ１を解析して、上述したシート内容情報を取得する（ステップＳ３４０）。
【００７２】
次に、入力受付プログラム１２２は、個人認証処理を実行する（ステップＳ３５０）。具体的には、入力受付プログラム１２２の認証媒体配置領域特定部Ｍ１３は、シート内容情報に基づき、入力画像上に配置されている認証媒体配置領域ＣＡを特定する。個人認証処理部Ｍ１４は、認証媒体配置領域ＣＡに配置された認証媒体の画像データのうち、個人認証情報が記載された部分の画像データに対して文字認識処理を行い、個人認証情報を文字データとして取得する。
【００７３】
図１１は、文字認識処理の対象となる領域を示す図である。図１１に認証媒体が免許証である場合について例示するように、認証媒体配置領域ＣＡに配置された認証媒体の画像データのうち、個人認証情報が表示されている認証情報部分ＮＡと共に、当該認証情報部分ＮＡの上下左右方向に付加された所定巾ｍのマージン領域ＭＧを文字認識処理の対象として文字データを取得する。このようにすれば、認証媒体の実際の配置位置が、認証媒体配置領域ＣＡに対してずれた場合を考慮して、予め広めの領域を文字認識処理の対象とすることにより、文字認識精度を向上することができる。
【００７４】
シート内容情報コードＣＤ１に含まれるシート内容情報において、マージン領域ＭＧを含む位置および大きさを、当該認証情報部分ＮＡの位置および大きさとして記述しておき、個人認証処理部Ｍ１４は、シート内容情報に記述された位置および大きさにより特定された範囲を文字認識処理の対象としても良い。あるいは、シート内容情報コードＣＤ１に含まれるシート内容情報においては、認証情報部分ＮＡの位置および大きさをそのまま記述しておき、個人認証処理部Ｍ１４は、シート内容情報に記述された位置および大きさにマージン領域ＭＧを付加した範囲を文字認識処理の対象としても良い。
【００７５】
さらには、シート内容情報コードＣＤ１に記述される認証媒体配置領域ＣＡを特定するための情報は、認証媒体配置領域ＣＡ上の一点の位置情報（例えば、認証媒体配置領域ＣＡの左上の頂点の座標情報）と、認証媒体の種類の情報であっても良い。かかる場合には、個人認証処理部Ｍ１４は、認証媒体の一点に対する認証情報部分ＮＡの相対的な位置を、認証媒体の種類ごとに予め記憶しておけば良い。例えば、個人認証処理部Ｍ１４は、免許証の左上の頂点に対する免許証番号が記載された部分の相対的に位置を記憶しておき、シート内容情報コードＣＤ１に記述された免許証の左上の頂点の位置から免許証番号が記載された部分を認識すれば良い。
【００７６】
次に、入力情報生成部Ｍ１６は、文字認識処理によって取得された個人認証情報と、シート内容情報コードＣＤ１に記述された個人認証情報とを比較して個人認証を行う。入力情報生成部Ｍ１６は、文字認識処理によって取得された個人認証情報と、シート内容情報コードＣＤ１に記述された個人認証情報とが一致した場合には、個人認証の結果が肯定的であると判断する。一方、入力情報生成部Ｍ１６は、文字認識処理によって取得された個人認証情報と、シート内容情報コードＣＤ１に記述された個人認証情報とが一致しない場合には、個人認証の結果が否定的であると判断する。
【００７７】
個人認証の結果が否定的である場合には（ステップＳ３６０：ＮＧ）、入力受付プログラム１２２は、ユーザにその旨を知らせる表示を多機能デバイス２００の表示パネルに表示するなどのエラー処理を実行して（ステップＳ３９０）、処理を終了する。
【００７８】
一方、個人認証の結果が肯定的である場合には（ステップＳ３６０：ＯＫ）、入力受付プログラム１２２は、入力画像上の書込領域を解析して入力情報を生成する入力情報生成処理を実行する（ステップＳ３７０）。具体的には、入力受付プログラム１２２の書込領域特定部Ｍ１５は、先ず、シート内容情報に基づき、入力画像上に配置されているマーク領域の位置、数を特定すると共に、入力画像上に配置されているメモ領域の位置、数、大きさを特定する。入力情報生成部Ｍ１６は、特定された各マーク領域が塗りつぶされているか否かを判定する処理（マーク判定処理）と、特定された各メモ領域に記述されている文字を認識して文字データを生成する処理を行う。メモ領域に対する文字認識処理は、上述した認証情報部分ＮＡに対する文字認識処理と同様に、所定のマージン領域を含む領域に対して行われても良い。
【００７９】
さらに、入力情報生成部Ｍ１６は、シート内容情報に基づき、各書込領域（マーク領域およびメモ領域）に対応付けられた内容を特定し、特定された内容と、マーク判定処理の結果または文字認識処理の結果を関連付けて記述した入力情報を生成する。
【００８０】
図１２は、生成される入力情報の一例を示す図である。図１２の例では、入力情報は、ＰＯＳＴメソッドのＨＴＴＰリクエストのボディとして作成されている。図１２における要素名の要素の内容が入力情報である。
【００８１】
要素名の要素の内容のうち、要素"int value "は、オーダーシートの種類を記述した要素である。要素の内容int valueには、オーダーシートの種類を特定するための情報、例えば、シート番号が記述される。
【００８２】
要素名の要素の内容のうち、要素"out arg value "は、マーク領域に関する入力情報を表している。要素名には、マーク領域に対応付けられた内容（ピザの名前など）が特定できる名称が記述される。要素の内容out arg valueには、塗りつぶしの有無に対応する二値情報、例えば、塗りつぶし有りならば「１」、塗りつぶし無しならば「０」が記述される。従って、オーダーシートにＮ個（Ｎは２以上の整数）のマーク領域が配置されている場合には、要素名の要素には、子要素として"out arg value "がＮ個含まれることになる。
【００８３】
要素名の要素の内容のうち、要素"char value "は、メモ領域に関する入力情報を表している。要素名には、メモ領域に対応付けられた内容（本実施例では注文数）が特定できる名称が記述される。要素の内容char valueには、文字認識処理により認識された文字データが記述される。従って、オーダーシートにＫ個（Ｋは２以上の整数）のメモ領域が配置されている場合には、要素名の要素には、子要素として"char value "がＫ個含まれることになる。
【００８４】
入力情報が生成されると、入力受付プログラム１２２の入力情報送信部Ｍ１７は、生成された入力情報を店舗サーバ８００に対して送信する（ステップＳ３８０）。具体的には、入力情報送信部Ｍ１７は、シート内容情報に基づき入力情報の宛先を示すＵＲＩを取得し、宛先ＵＲＩに宛てて入力情報を送信する。本実施例では、かかる宛先ＵＲＩが店舗サーバ８００を宛先として示しているので、結果として入力情報は店舗サーバ８００に送信される。入力情報は、例えば、図１２に示すように、ＰＯＳＴメソッドのＨＴＴＰリクエストとして送信される。
【００８５】
店舗サーバ８００が入力情報を受信すると（ステップＳ２４０）、店舗サーバ８００の入力情報処理プログラム８２３は、入力情報に基づいて注文を受け付ける注文受付処理を行う（ステップＳ２５０）。この結果、ユーザの注文は受け付けられ、所望の商品がユーザに宅配される。
【００８６】
以上のように本実施例では、店舗サーバ８００にて管理している個人認証情報に基づく、個人認証処理を、ユーザの所有するネットワークデバイス３００にて実行するので、店舗サーバ８００の処理負担を軽減することができる。
【００８７】
さらに、ネットワークデバイス３００における個人認証の結果が肯定的である場合にのみ、入力情報が店舗サーバ８００に対して送信されるので、さらに、店舗サーバ８００の処理負荷および店舗サーバ８００とネットワークデバイス３００との間の通信負荷を軽減することができる。
【００８８】
店舗サーバ８００は、オーダーシート上に任意の位置に、任意の大きさの認証媒体配置領域ＣＡを配置したとしても、ネットワークデバイス３００は認証媒体配置領域ＣＡを特定して、個人認証処理を実行することができる。したがって、融通性に富んだ多様な形態のオーダーシートを用いて個人認証処理を含む入力受付処理を実現することが可能である。
【００８９】
さらに、店舗サーバ８００は、任意の種類の認証媒体を指定したオーダーシートを作成でき、ネットワークデバイス３００はオーダーシートに基づき指定された認証媒体に対応した個人認証処理を実行することができるので、融通性に富んだ多様な個人認証処理を含む入力受付処理を実現することが可能である
【００９０】
Ｂ．変形例：
・第１変形例：
上記実施例において、レコーダ４００が行う各処理は、図１に示すデジタルＴＶ６００あるいはパーソナルコンピュータ７００が行っても良い。かかる場合、図４に示すレコーダ４００が備えるブラウザプログラム４２２、シート印刷要求部４２４の機能を、デジタルＴＶ６００あるいはパーソナルコンピュータ７００が備えれば良い。また、パーソナルコンピュータ７００は、ＵＰｎＰプロトコルを用いて印刷要求に代えて、通常のプリンタドライバを用いた印刷要求をネットワークデバイス３００に対して行うこととしても良い。
【００９１】
・第２変形例：
オーダーシートの種類によって、異なる入力情報の送信先を特定する情報（本実施例では宛先ＵＲＩ）をシート内容情報コードＣＤ１として記述しても良い。こうすることにより、入力受付処理の柔軟性がさらに向上する。
【００９２】
・第３変形例：
上記実施例において、レコーダ４００のブラウザプログラム４２２からオーダーシートの作成要求と共に店舗サーバ８００に対して送信する際、ユーザを特定するためのユーザ特定情報としてユーザの名前を作成要求と共に送信している。ユーザ特定情報には、ユーザの名前に限らず、ユーザを特定できる様々な情報を用いることができる。例えば、予め定められたユーザＩＤであっても良いし、個人認証情報そのもの（例えば、免許証番号）であっても良い。
【００９３】
・第４変形例：
上記実施例では、認証媒体として免許証、保険証、パスポートなどの身分証が用いられているが、これに代えて、会員カードを用いても良い。かかる場合には、個人認証情報は、会員カードに表示された会員番号や会員コードとなる。また、会員カードには、個人認証情報が文字などの視覚的に判読可能な形態で表示されていても良いし、個人認証情報がバーコードなどの視覚的に判読不能な形態で示されていても良い。ネットワークデバイス３００は、予め個人認証情報が会員カードに表示される形態を認識しており、その形態に応じて個人認証情報を読み取ることとしても良い。また、オーダーシートのシート内容情報コードＣＤ１に個人認証情報が会員カードに表示される形態を記述しておき、ネットワークデバイス３００はシート内容情報コードＣＤ１を読み取ることにより、会員カードに表示される形態を認識して、その形態に応じて個人認証情報を読み取ることとしても良い。
【００９４】
さらに、認証媒体は、予め登録された印鑑の印影であっても良い。かかる場合には、個人認証情報は、印鑑の印影の形態そのものであり、個人認証情報データベースＰＤには、印影の画像データや、印影の特徴を表すデータが予め記録される。シート内容情報コードＣＤ１には、印影の画像データや、印影の特徴を表すデータが、ＱＲコードとして記述される。認証媒体配置領域ＣＡとしては、ユーザが押印する押印場所を示す丸印などがオーダーシート上に印刷される。以上から解るように、請求項における認証媒体を配置するとは、身分証、会員カードなどのシート上の媒体を配置することと共に、印鑑を押印すること、すなわち、印影の形状に朱肉などの材料を配置することを含む。
【００９５】
・第５変形例：
実施例では、メモ領域は、文字情報の入力を受け付けるように構成されているが、これに代えて、あるいは、これと共に、図形情報の入力を受け付けるように構成されても良い。かかる場合には、入力情報生成部Ｍ１６は、入力画像からメモ領域の部分画像を切り取り、当該部分画像を表す部分画像データを入力情報として生成する。この結果、さらに柔軟で多様なオーダーシートを用いた、入力受付処理を実現することができる。一般的に言えば、メモ領域は書き込みの形態に応じて、二値を超える情報を受け付けるように構成することができる。
【００９６】
・第６変形例：
上記実施例において用いられている通信形式は、例示であってこれに限られるものではない。例えば、上記実施例において、入力情報やオーダーシートデータは、ＨＴＴＰプロトコルを用いて送受信されている。これに代えて、電子メールとして入力情報やオーダーシートデータを送受信しても良い。例えば、この電子メールは、ＭＩＭＥ(Multipurpose Internet Mail Extension)規格を用いて、暗号化されても良いし、第４変形例における部分画像データが添付されても良い。
【００９７】
・第７変形例：
上記実施例では、商品などの注文を受け付けるためのオーダーシートが用いられているが、これに限られず、様々なタイプの入力をユーザーから受け付けるための入力シートが用いられ得る。例えば、問診表を印刷し、ユーザが書き込んだ上で医療機関のサーバにその内容を送信するネットワークシステムなどに本発明を適用することができる。
【００９８】
・その他の変形例：
多機能デバイス２００は、スキャナ機能以外のサービスを提供する複合機として構成することも可能である。多機能デバイス２００に代えて、プリンタ機能を有する第１のデバイスと、スキャナ機能を有する第２のデバイスをそれぞれ別個に設けるようにしても良い。また、スキャナおよびプリンタの機能を有するデバイスの全部または一部はレコーダ４００にＵＳＢケーブルＣＶ１で接続されても良い。かかる場合には、店舗サーバ８００との間の通信は、全てレコーダ４００が中継して行うことにすれば良い。かかる場合には、実施例におけるレコーダ４００が備える機能に加えて、実施例における中継ユニット１００が備える機能も、レコーダ４００が備えるように構成すれば良い。
【００９９】
上記実施例では、オーダーシートデータは、店舗サーバ８００から印刷装置としてのネットワークデバイス３００に直接送信されるが、これに限らず、印刷要求を発行する装置としてのレコーダ４００に一旦送信されても良い。レコーダ４００は、例えば、ネットワークデバイス３００の仕様にあわせて、オーダーシートデータの形式を変換して、変換後のオーダーシートデータを印刷要求と共にネットワークデバイス３００に対して送信することとしても良い。例えば、レコーダ４００は、ＨＴＭＬファイルとしてオーダーシートデータを受信し、これをPostScriptなどのページ記述言語に変換してネットワークデバイス３００に送信しても良い。
【０１００】
上記各実施例において、ハードウェアによって実現されていた構成の一部をソフトウェアに置き換えるようにしてもよく、逆に、ソフトウェアによって実現されていた構成の一部をハードウェアに置き換えるようにしてもよい。ソフトウェアによって実現する場合、そのためのプログラムは、例えば、フレキシブルディスクやＣＤ−ＲＯＭ等の、コンピュータ読み取り可能な記録媒体に記録された形態で提供されても良く、ネットワークを介して提供されても良い。
【０１０１】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【図面の簡単な説明】
【０１０２】
【図１】実施例におけるネットワークシステムの構成を示す概念図。
【図２】店舗サーバの内部構成を示すブロック図。
【図３】ネットワークデバイスの内部構成を示すブロック図。
【図４】レコーダの内部構成を示すブロック図。
【図５】オーダーシートを印刷する手順を示すフローチャート。
【図６】デジタルＴＶに表示されたＷＥＢページの一例を示す図。
【図７】個人認証情報データベースＰＤの内容の一例を概念的に示す図。
【図８】ピザ注文用のオーダーシートのテンプレートＯＳＴ１の一例を示す図。
【図９】印刷されたオーダーシートの一例を示す図。
【図１０】オーダーシートを用いた入力受付処理の手順を示すフローチャート。
【図１１】文字認識処理の対象となる領域を示す図。
【図１２】生成される入力情報の一例を示す図。
【符号の説明】
【０１０３】
１００...中継ユニット
１１０...ＣＰＵ
１２０...内部記憶装置
１２２...入力受付プログラム
１２６...デバイス制御プログラム
１３０...ＵＳＢホストＩＦ部
１４０...ネットワークＩＦ部
１５０...操作部
２００...多機能デバイス
２１０...ＣＰＵ
２２０...内部記憶装置
２２２...制御プログラム
２３０...操作部
２４０...ＵＳＢデバイスＩＦ部
２５０...プリンタエンジン
２６０...スキャナエンジン
３００...ネットワークデバイス
４００...レコーダ
４１０...ＣＰＵ
４２０...内部記憶装置
４２２...ブラウザプログラム
４２４...シート印刷要求部
４３０...ビデオＩＦ部
４４０...ネットワークＩＦ部
４５０...操作部
４６０...外部記憶装置
５００、６００...デジタルＴＶ
７００...パーソナルコンピュータ
８００...店舗サーバ
８２０...内部記憶装置
８２１...ＨＴＴＰサーバプログラム
８２２...オーダーシート作成部
８２３...入力情報処理プログラム
８３０...外部記憶装置
８４０...部
１０００...ネットワークシステム
ＬＡＮ１、ＬＡＮ２...ローカルエリアネットワーク
Ｍ１...認証情報管理部
Ｍ２...テンプレート選択部
Ｍ３...認証媒体配置領域配置部
Ｍ４...書込領域配置部
Ｍ５...説明配置部
Ｍ６...コード配置部
Ｍ７...シートデータ送信部
Ｍ８...作成要求受付部
Ｍ１１...入力画像取得部
Ｍ１２...シート内容情報取得部
Ｍ２１...シート作成要求部
Ｍ２１...シート印刷要求部
Ｍ１３...認証媒体配置領域特定部
Ｍ１４...個人認証処理部
Ｍ１５...書込領域特定部
Ｍ１６...入力情報生成部
Ｍ１７...入力情報送信部
Ｍ１８...印刷要求受信部
Ｍ１９...データ要求部
ＰＤ...個人認証情報データベース
【図１】
2009053907.tif 000003
【図２】
2009053907.tif 000004
【図３】
2009053907.tif 000005
【図４】
2009053907.tif 000006
【図５】
2009053907.tif 000007
【図６】
2009053907.tif 000008
【図７】
2009053907.tif 000009
【図８】
2009053907.tif 000010
【図９】
2009053907.tif 000011
【図１０】
2009053907.tif 000012
【図１１】
2009053907.tif 000013
【図１２】
2009053907.tif 000014